(57)【要約】【課題】新規な投射用ズームレンズを実現する。【解決手段】平面画像を倍率可変で拡大して投射結像させる投射用ズームレンズあって、拡大側から順に、第１レンズＧ１ないし第７レンズ群Ｇ７を配置してなり、第１レンズ群Ｇ１は負の屈折力、第３レンズ群Ｇ３、第４レンズ群Ｇ４、第５レンズ群Ｇ５はともに正の屈折力、第６レンズ群Ｇ６は負の屈折力、第７レンズ群Ｇ７は正の屈折力をもち、第２レンズ群Ｇ２が、負または正の屈折力を持つ。【選択図】図１
2010197742.tif 000002
【特許請求の範囲】
【請求項１】
平面画像を倍率可変で拡大して投射結像させる投射用ズームレンズあって、  
拡大側から順に、第１レンズ群ないし第７レンズ群を配置してなり、  
第１レンズ群は負の屈折力、第３レンズ群、第４レンズ群、第５レンズ群はともに正の屈折力、第６レンズ群は負の屈折力、第７レンズ群は正の屈折力をもち、
第２レンズ群が、負または正の屈折力を持つことを特徴とする投射用ズームレンズ。
【請求項２】
請求項１記載の投射用ズームレンズにおいて、
第２レンズ群が負の屈折力を有することを特徴とする投射用ズームレンズ。
【請求項３】
請求項１記載の投射用ズームレンズにおいて、
第２レンズ群が正の屈折力を有することを特徴とする投射用ズームレンズ。
【請求項４】
請求項１〜３の任意の１に記載の投射用ズームレンズにおいて、
変倍に際して、第７レンズ群が、物体である平面画像に対して位置を変えないことを特徴とする投射用ズームレンズ。  
【請求項５】
請求項１〜４の任意の１に記載の投射用ズームレンズにおいて、
変倍に際して、第１レンズ群が、平面画像に対してその位置を変えないことを特徴とする投射用ズームレンズ。
【請求項６】
請求項１〜５の任意の１に記載の投射用ズームレンズにおいて、
第６レンズ群中に、屈折面の曲率半径の絶対値が全系中で最も小さい面が含まれることを特徴とする投射用ズームレンズ。
【請求項７】
請求項１〜６の任意の１に記載の投射用ズームレンズにおいて、
第３レンズ群の焦点距離：ｆ３、第４レンズ群の焦点距離：ｆ４、第５レンズ群の焦点距離：ｆ５が、条件：
（１）    （１／ｆ５）−（１／ｆ３）＞  ０  
（２）    （１／ｆ５）−（１／ｆ４）＞  ０  
を満足することを特徴とする投射用ズームレンズ。  
【請求項８】
請求項１〜７の任意の１に記載の投射用ズームレンズにおいて、
第３レンズ群と第５レンズ群とは、各々正レンズのみからなり、  
第４レンズ群は、１以上の正レンズと１以上の負レンズとを有してなることを特徴とする投射用ズームレンズ。
【請求項９】
請求項１〜８の任意の１に記載の投射用ズームレンズにおいて、
全系における望遠端での焦点距離：ｆＴ、全系における広角端での焦点距離：ｆＷ、光軸から平面画像の最遠部までの距離：Ｙmax、全変倍域中で最長となるときのレンズ全長：ＯＡＬが、条件：  
（３）  ５・ｆＴ／ｆＷ  ＜ＯＡＬ／Ｙmax＜  ８・ｆＴ／ｆＷ  
を満足することを特徴とする投射用ズームレンズ。  
【請求項１０】
請求項１〜９の任意の１に記載の投射用ズームレンズにおいて、
第３レンズ群が１枚の正レンズのみからなることを特徴とする投射用ズームレンズ。
【請求項１１】
請求項１〜１０の任意の１に記載の投射用ズームレンズにおいて、
第４レンズ群が、拡大側から順に、正レンズ、負レンズを、別個もしくは接合して配した構成であることを特徴とする投射用ズームレンズ。
【請求項１２】
請求項１〜１１の任意の１に記載の投射用ズームレンズにおいて、
第５レンズ群が、凸面を拡大側に向けた正メニスカスレンズを少なくとも２枚含むことを特徴とする投射用ズームレンズ。
【請求項１３】
請求項１〜１２の任意の１に記載の投射用ズームレンズにおいて、
第６レンズ群中に、接合面が縮小側に凸となる形状の接合レンズを含むことを特徴とする投射用ズームレンズ。
【請求項１４】
請求項１〜１３の任意の１に記載の投射用ズームレンズにおいて、
第１レンズ群が、正レンズ、負レンズを、別個もしくは接合してなることを特徴とする投射用ズームレンズ。
【請求項１５】
請求項１〜１４の任意の１に記載の投射用ズームレンズにおいて、
平面画像側における瞳位置がほぼ無限遠となる、テレセントリックな光学系となってい
ることを特徴とする投射用ズームレンズ。
【請求項１６】
請求項１〜１５の任意の１に記載の投射用ズームレンズを搭載したプロジェクタ装置。
【請求項１７】
請求項１〜１５の任意の１に記載のズームレンズを撮像用に利用した撮像装置。
【発明の詳細な説明】
【技術分野】
【０００１】
この発明は、投射用ズームレンズおよびプロジェクタ装置および撮像装置に関する。
【背景技術】
【０００２】
液晶パネルやマイクロミラーを使用した画像表示デバイス上に表示された画像を、投射レンズにより拡大投射するプロジェクタ装置は、コンピュータのデータ表示用などに用いられ、広く普及している。
【０００３】
プロジェクタ装置における投射レンズは、スクリーン上に最適な表示画像サイズを容易に実現できるように、一般にズーム機能を有する「投射用ズームレンズ」が用いられるが、使用目的、設置場所などの違いにより、広角ズームタイプから望遠ズームタイプまで種々のタイプのものが用いられる。
【０００４】
投射用ズームレンズには、一般に以下のような属性が求められる。  
画像表示デバイスにより強度変調された各光束を、ダイクロイックプリズムやダイクロイックミラーといった色合成手段で合成することが多いため、物体側のレンズと画像表示デバイスとの間に色合成手段を配備するための空間を確保できるように「比較的長いバックフォーカスを有する」こと。
【０００５】
各色光の光路合成時に「色合成手段に入射する光の角度」が画角により異なると色シェーディングが発生し易いことから、光源側から投射用ズームレンズに入射する光は「光軸に対して平行に近い光束」を用いるのが良い。
【０００６】
この場合、低電力で高い光利用効率を得るに「平行光束を効率良く、投射用ズームレンズに取り込めるよう、縮小側、即ち、画像表示デバイス側においてテレセントリック性を持つ」こと。
【０００７】
低電力の光源でも明るい画像を表示できるように、光源側からの光をなるべく多く取り込めるように「Ｆナンバの小さい明るいレンズ」であること。
【０００８】
スクリーン上で、３色を重ね合わせたときに、各色の画素が互いにずれると良好なカラー画像を実現できず、投射画像の辺縁部等に緑、青、赤などの縁が現れて、像質が損なわれる。これを防止するため「倍率の色収差が小さく抑えられている」こと。
【０００９】
投射された画像の輪郭が歪んで見苦しくならないように、歪曲収差が許容できる範囲に抑えられていること。
【００１０】
画像表示デバイスに表示された画像を、拡大した投射画像において忠実に再現するため、高いＭＴＦ特性、解像力特性を備えていること。
【００１１】
レンズ交換式のプロジェクタ等にも対応できるように、軸上色収差も低く抑えられていることが望ましい。
【００１２】
このような属性の向上は、従来から追及されてきたところであるが、さらなる向上が要請され、その実現もますます困難となってきている。
【００１３】
特に、この発明では、比較的大きな会議室などで使用される高輝度のプロジェクタ装置に用いられる投射用ズームレンズの実現を企図しているが、大きな会議室では部屋の片側にプロジェクタ本体を設置し、反対側に設置されるスクリーンに拡大画像を投射するというのが一般的である。
【００１４】
このため、このような投射用ズームレンズは必然的に「長めの焦点距離」を有するものとなる。  
「長めの焦点距離」を持つレンズは従来から知られた、テレフォトタイプやその派生タイプによって容易に実現可能であるが、上記の如きプロジェクタ装置用の投射レンズでは、色毎の画像を合成するためのプリズムなどが「レンズの縮小側」に配置されることが多いため、従来型レンズでは所望の性能を実現しにくい面があった。
【００１５】
投射用ズームレンズは、従来から種々提案されているが、代表的な２例を特許文献１、２として示す。
【発明の概要】
【発明が解決しようとする課題】
【００１６】
この発明は、上述の諸属性を良好に向上させ得る投射用ズームレンズの提供を課題とする。  
【課題を解決するための手段】
【００１７】
この発明の
投射用ズームレンズは「平面画像を倍率可変で拡大して投射結像させる投射用ズームレンズ」ある。
【００１８】
上記「平面画像」は、液晶パネルやマイクロミラーを使用した画像表示デバイス上に表示された画像であり、投射用ズームレンズの結像における「物体」である。
【００１９】
請求項１記載の投射用ズームレンズは、拡大側から順に、第１レンズ群ないし第７レンズ群を配置してなる。
【００２０】
これら第１〜第７レンズ群において、第１レンズ群は負の屈折力、第３レンズ群、第４レンズ群、第５レンズ群は「ともに正の屈折力」、第６レンズ群は負の屈折力、第７レンズ群は正の屈折力をもつ。そして、第２レンズ群は「負または正の屈折力」を持つ。
【００２１】
即ち、請求項１記載の投射用ズームレンズのパワー配分は、拡大側（像側）から縮小側（平面画像側）へ向かって「負・負・正・正・正・負・正」である（請求項２）か、もしくは「負・正・正・正・正・負・正」である（請求項３）。
【００２２】
第２レンズ群の屈折力に正・負の自由度を与えることにより、設計の自由度を大きくしている。
【００２３】
請求項１〜３の任意の１に記載の投射用ズームレンズは、変倍に際して「第７レンズ群が、物体である平面画像に対して位置を変えない」ことが好ましい（請求項４）。  
請求項１〜４の任意の１に記載の投射用ズームレンズは、変倍に際して「第１レンズ群が、平面画像に対してその位置を変えない」ことが好ましい（請求項５）。
【００２４】
請求項４のように「最も物体側の第７レンズ群を固定群とする」とともに、請求項５のように「最も像側の第１レンズ群も固定群とすれ」ば、投射用ズームレンズの全長が倍率に関わらず一定となり、なおかつ光源や画像表示デバイス、色合成手段等に対する位置関係も固定的となり、この投射用ズームレンズを搭載したプロジェクタ装置や撮像装置の取り扱い性が向上する。
【００２５】
請求項１〜５の任意の１に記載の投射用ズームレンズは、第６レンズ群中に「屈折面の曲率半径の絶対値が全系中で最も小さい面」が含まれることが好ましい（請求項６）。
【００２６】
請求項１〜６の任意の１に記載の投射用ズームレンズは、第３レンズ群の焦点距離：ｆ３、第４レンズ群の焦点距離：ｆ４、第５レンズ群の焦点距離：ｆ５が、条件：
（１）    （１／ｆ５）−（１／ｆ３）＞  ０  
（２）    （１／ｆ５）−（１／ｆ４）＞  ０  
を満足することが好ましい（請求項７）。  
請求項１〜７の任意の１に記載の投射用ズームレンズは、第３レンズ群と第５レンズ群とが、各々「正レンズのみ」からなり、第４レンズ群が「１以上の正レンズと１以上の負レンズとを有してなる」ことが好ましい（請求項８）。
【００２７】
請求項１〜８の任意の１に記載の投射用ズームレンズはまた、全系における望遠端での焦点距離：ｆＴ、全系における広角端での焦点距離：ｆＷ、光軸から平面画像の最遠部までの距離：Ｙmax、全変倍域中で最長となるときのレンズ全長：ＯＡＬが、条件：  
（３）  ５・ｆＴ／ｆＷ  ＜ＯＡＬ／Ｙmax＜  ８・ｆＴ／ｆＷ  
を満足することが好ましい（請求項９）。  
請求項１〜９の任意の１に記載の投射用ズームレンズは、第３レンズ群が「１枚の正レンズのみ」からなることができる（請求項１０）。
【００２８】
請求項１〜１０の任意の１に記載の投射用ズームレンズは、第４レンズ群が「拡大側から順に、正レンズ、負レンズを、別個もしくは接合して配した構成」であることが好ましい（請求項１１）。
【００２９】
請求項１〜１１の任意の１に記載の投射用ズームレンズは、第５レンズ群が「凸面を拡大側に向けた正メニスカスレンズを少なくとも２枚含む」構成であることが好ましい（請求項１２）。
【００３０】
請求項１〜１２の任意の１に記載の投射用ズームレンズは、第６レンズ群中に「接合面が縮小側に凸となる形状の接合レンズ」を含むことが好ましい（請求項１３）。
【００３１】
請求項１〜１３の任意の１に記載の投射用ズームレンズは、第１レンズ群が「正レンズ、負レンズを、別個もしくは接合してなる」構成とすることが好ましい（請求項１４）。
【００３２】
請求項１〜１４の任意の１に記載の投射用ズームレンズは「平面画像側における瞳位置がほぼ無限遠となる、テレセントリックな光学系となっている」ことができる（請求項１５）。
【００３３】
この発明のプロジェクタ装置は、請求項１〜１５の任意の１に記載の投射用ズームレンズを搭載したプロジェクタ装置（請求項１６）であり、この発明の撮像装置は、請求項１〜１５の任意の１に記載のズームレンズを撮像用に利用した撮像装置（請求項１７）である。
【００３４】
説明を補足すると、この発明の投射用ズームレンズでは、最も拡大側の第１レンズ群に負の屈折力を与えることにより、長いバックフォーカスを得ることを容易にしている。  
また、拡大側寄りの第３、第４、第５レンズ群を「いずれも正レンズ群」とすることで、Ｆ値の小さい長焦点レンズに入り込む太い光束を「収差の発生を抑えつつ絞りこむ」ことができる。
【００３５】
更に、第６レンズ群の屈折力を負とすることにより「第１〜第５レンズ群の合成系が有する正の屈折力」で発生した諸収差の相殺を可能とし、第７レンズ群に正の屈折力をもたせることにより「縮小側から見た瞳を略無限位置とする」ことが可能となり、光源を含む照明光学系とのマッチングを容易に実現可能としている。
【００３６】
請求項４のように、第１レンズ群を固定群として変倍の際に移動させないことにより、鏡枠の複雑化を避けることができ、低コストを実現できる。
【００３７】
縮小側焦点付近の空間は「画像表示デバイス、偏光調整部材などで狭くなる」ため、請求項５のように、第７レンズ群を固定群とすることにより、第７レンズ群を移動させる部材を不要とすることによりプロジェクタ装置等の小型化に有効である。
【００３８】
正の屈折力を持つ第３〜第５レンズ群の関係としては、軸上光線高の高さの兼ね合いから、第５レンズ群に対して、第３レンズ群、第４レンズ群の各々の屈折力を弱くすることで「大きな収差を発生させず、より良好な画像を得る」ことが可能であり、条件（１）、条件式（２）は「このような状況を実現する」ための条件である。
【００３９】
条件（１）の下限を超えると、第３レンズ群の持つ「正屈折力」による諸収差が大きくなって、他の群での補正が困難となる。また、条件（２）の下限を超えると、第４レンズ群の正屈折力が、第５レンズ群の正屈折力に対して相対的に大きくなって「諸収差の発生が大きく」なり、他の群での補正が困難となる。
【００４０】
第３、第４、第５レンズ群は、何れも正の屈折力をもつため、コスト的観点からも、基本的には正レンズにより構成されるべきであるが、正レンズのみでは軸上色収差の補正不足に陥ってしまい易い。  
これを避けるには請求項７のように「第４レンズ群に負レンズを含める」のがよく、このようにすることにより、軸上色収差、球面収差等をより良好に補正できる。
【００４１】
特に、第４レンズ群を、拡大側から順に正レンズ、負レンズを別個に配するか、あるいはこれら正・負レンズを「正レンズを拡大側にして接合する」ことにより、色収差等の収差がもっとも良く補正される。
【００４２】
第５レンズ群は、これを「拡大側に凸面を向けた形状のメニスカスレンズを２以上含めて構成」することにより、屈折力をバランスよく分散して良好な像性能を得ることができる。
【００４３】
更に、第６レンズ群は「軸上光線高が最も低くなる群」であるので、第６レンズ群内に「強い負の面を配置する」ことで、ペッツバール和を低減させて平坦な像面を得やすくできる。即ち、請求項１２のように、第６レンズ群中に「全系中で最も曲率半径の絶対値の小さい面」を配するのがよい。
【００４４】
また、第６レンズ群中に「接合面が縮小側に凸となる形状の接合レンズ」を含めることにより、軸上色収差を倍率色収差の補正を同時に行われやすくできる。
【００４５】
第１レンズ群で「大きな色収差」を持つと、変倍時に軸上色収差、即ち「赤、緑、青の色の位置関係」が変化し易くなる。負レンズのみでもこのような色収差を少なくすることは「適切なレンズ材質を選択する」ことで可能であるが、より良く色収差を抑えるためには、第１レンズ群内で色収差が補正されていることがより望ましい。
【００４６】
このために、請求項１３のように、第１レンズ群に「１以上の正レンズと１以上の負レンズ」を含めるのがよい。
【００４７】
近年の投射レンズの高倍率化にともない、レンズも大型化する傾向が見られるが、この発明の投射用ズームレンズでは「変倍比（望遠端の焦点距離と広角端の焦点距離の比）に対して画像表示面の実質的な大きさ」とレンズ全長とに適切な関係を設定することにより「コンパクトでありながら、全変倍域において十分な結像性能を確保する」ことを可能としている。
【００４８】
即ち、条件（３）は上記適切な関係を設定する条件である。  
条件（３）の下限を超えると、各レンズ群が各々大きな屈折力をもつ必要が生じ、大きな収差の発生を招来する。逆に条件（３）の上限を超えると、レンズ全長が冗長となり、プロジェクタ装置本体の大型化や、コストアップを招いてしまう。
【００４９】
この発明の投射用ズームレンズは、プロジェクタ装置用として有効なものであるから、これを搭載することにより投射性能の良好なプロジェクタ装置（請求項１６）を実現できる。  
また、投射用ズームレンズにおいて平面画像と投射画像とは共役関係にあるから、平面画像と「光学的に等価な面」に撮像素子の受光面を配することにより、投射画像上の画像を撮像することができ、また、拡大側の風景、物体などの像を取り込む撮影用レンズとしても利用可能であり、請求項１７の撮像装置を実現できる。
【発明の効果】
【００５０】
以上のように、この発明によれば新規な投射用レンズ・プロジェクタ装置・撮像装置を実現できる。この発明の投射用レンズは後述の実施例に示すように性能良好であり、これを用いることにより性能良好なプロジェクタ装置・撮像装置を実現できる。
【図面の簡単な説明】
【００５１】
【図１】実施例１のレンズの広角端における断面図である。
【図２】実施例１のレンズの望遠端における断面図である。
【図３】実施例１のレンズの広角端における収差図である。
【図４】実施例１のレンズの望遠端における収差図である。
【図５】実施例２のレンズの広角端における断面図である。
【図６】実施例２のレンズの望遠端における断面図である。
【図７】実施例２のレンズの広角端における収差図である。
【図８】実施例２のレンズの望遠端における収差図である。
【図９】実施例３のレンズの広角端における断面図である。
【図１０】実施例３のレンズの望遠端における断面図である。
【図１１】実施例３のレンズの広角端における収差図である。
【図１２】実施例３のレンズの望遠端における収差図である。
【図１３】実施例４のレンズの広角端における断面図である。
【図１４】実施例４のレンズの望遠端における断面図である。
【図１５】実施例４のレンズの広角端における収差図である。
【図１６】実施例４のレンズの望遠端における収差図である。
【発明を実施するための形態】
【００５２】
図１、図２に投射型ズームレンズの実施の１形態を示す。
【００５３】
この実施の形態は、後述する実施例１に関するものであり、図１は望遠端、図２は広角端におけるレンズ配置を示している。
【００５４】
図の左方における符号ＳＣＲは「スクリーン」即ち投射面を示し、図の右方のＤＶは液晶パネル等の画像表示デバイスの画像表示面であり、この画像表示面ＤＶに「平面画像」が表示される。以上の点は、以下に説明する他の実施の形態においても同様である。
【００５５】
図１、図２に実施の形態を示す投射用ズームレンズは、平面画像を倍率可変で拡大して投射結像させる投射用ズームレンズあって、拡大側（図の左方）から順に、第１レンズ群Ｇ１ないし第７レンズ群Ｇ７を配置してなる。  
第１レンズ群Ｇ１は負の屈折力、第３レンズ群Ｇ３、第４レンズ群Ｇ４、第５レンズ群Ｇ５はともに正の屈折力、第６レンズ群Ｇ６は負の屈折力、第７レンズ群Ｇ７は正の屈折力を持ち、第２レンズ群Ｇ２は「負の屈折力」を持つ。
【００５６】
図５、図６に実施の形態を示す投射用ズームレンズは、後述する実施例２に関するものであり、図５は望遠端、図６は広角端におけるレンズ配置を示している。
【００５７】
この実施の形態の投射用ズームレンズは、平面画像を倍率可変で拡大して投射結像させる投射用ズームレンズあって、拡大側（図の左方）から順に、第１レンズ群Ｇ１ないし第７レンズ群Ｇ７を配置してなる。  
第１レンズ群Ｇ１は負の屈折力、第３レンズ群Ｇ３、第４レンズ群Ｇ４、第５レンズ群Ｇ５はともに正の屈折力、第６レンズ群Ｇ６は負の屈折力、第７レンズ群Ｇ７は正の屈折力を持ち、第２レンズ群Ｇ２は「負の屈折力」を持つ。
【００５８】
図９、図１０に実施の形態を示す投射用ズームレンズは、後述する実施例３に関するものであり、図９は望遠端、図１０は広角端におけるレンズ配置を示している。
【００５９】
この実施の形態の投射用ズームレンズは、平面画像を倍率可変で拡大して投射結像させる投射用ズームレンズあって、拡大側（図の左方）から順に、第１レンズ群Ｇ１ないし第７レンズ群Ｇ７を配置してなる。  
第１レンズ群Ｇ１は負の屈折力、第３レンズ群Ｇ３、第４レンズ群Ｇ４、第５レンズ群Ｇ５はともに正の屈折力、第６レンズ群Ｇ６は負の屈折力、第７レンズ群Ｇ７は正の屈折力を持ち、第２レンズ群Ｇ２は「正の屈折力」を持つ。
【００６０】
図１３、図１４に実施の形態を示す投射用ズームレンズは、後述する実施例４に関するものであり、図５は望遠端、図６は広角端におけるレンズ配置を示している。
【００６１】
この実施の形態の投射用ズームレンズは、平面画像を倍率可変で拡大して投射結像させる投射用ズームレンズあって、拡大側（図の左方）から順に、第１レンズ群Ｇ１ないし第７レンズ群Ｇ７を配置してなる。  
第１レンズ群Ｇ１は負の屈折力、第３レンズ群Ｇ３、第４レンズ群Ｇ４、第５レンズ群Ｇ５はともに正の屈折力、第６レンズ群Ｇ６は負の屈折力、第７レンズ群Ｇ７は正の屈折力を持ち、第２レンズ群Ｇ２は「負の屈折力」を持つ。
【実施例】
【００６２】
以下、投射型ズームレンズの具体的実施例を４例挙げる。
【００６３】
以下にあげる実施例１〜４において、各記号は以下の如き意味を有する。
【００６４】
ｉ      拡大側から数えて第ｉ番目の面（レンズ面および絞りの面）  
IMG     画像表示デバイス面  
Ｒｉ    拡大側から数えて第ｉ番目の面の曲率半径  
Ｄｉ    拡大側から数えて第ｉ番目の面から第ｉ＋１番目の面までの軸上面間隔    
Ｄｏ    スクリーンから第１レンズ面までの距離  
J       拡大側から数えて第ｊ番目のレンズ  
Ｎj     拡大側から数えて第ｊ番目のレンズのｄ線に対する屈折率  
νｊ    拡大側から数えて第ｊ番目のレンズのアッべ数  
ＰＲ    色合成プリズム                  
「計算基準波長」は５５０ｎｍ（緑色）である。  
「実施例１」
ｉ        R            Ｄ          j         Ｎ           ν
0         ∞           5800
1       380.319        2.693       1     1.80518          25.5    
2     58063.394        0.200         
3       394.275        2.300       2     1.62041          60.3
4        44.351         可変
5     -1339.437        2.200       3     1.51680          64.2
6        51.817        4.230       4     1.84666          23.8
7        92.646         可変      
8        54.863        5.263       5     1.49700          81.6
9       176.077        可変  
10       116.899        8.091       6     1.61800          63.4
11       -57.989        2.200       7     1.84666          23.8 
12      -118.672        可変     
13        50.462        4.565       8     1.61800          63.4
14       188.487        0.200      
15        25.031        5.125       9     1.61800          63.4
16        40.527        可変   
17        27.708        2.051      10     1.62374          47.1
18        17.211        5.876
19(絞り面)  ∞          4.170
20      -138.800        3.347      11     1.49700          81.6 
21       -29.654        1.900      12     1.61310          44.4 
22        34.756        8.335              
23      -247.210        2.546      13     1.90366          31.3
24       -57.994        2.563                        
25       -19.964        1.900      14     1.69895          30.1
26        58.885        6.868      15     1.49700          81.6 
27       -35.146        0.200           
28       205.383        7.875      16     1.49700          81.6
29       -33.705        可変           
30       247.189        5.621      17     1.84666          23.8 
31       -81.849        9.000             
32         ∞          29.000      PR     1.51680          64.2 
33         ∞           9.000                          
IMG         ∞           0.000                                      。
【００６５】
「可変量」
広角端      中間        望遠端  
焦点距離          45.79       56.24       73.50  
可変群間隔    
D4              29.470      24.784      11.793  
D7              13.907       4.096       1.500  
D9               6.295       7.596       1.500  
D12              1.000       5.277      18.008  
D16              1.000       2.330       4.198  
D29              1.000       8.588      15.673                    。
【００６６】
「条件式のパラメータの値」
条件（１）      0.0135    
条件（２）      0.0115    
条件（３）    ｆＴ／ｆＷ＝1.605  、  ＯＡＬ／Ｙmax ＝9.108          。
【００６７】
「実施例２」
ｉ          R            Ｄ          j         Ｎ         ν  
O           ∞      6000.000
1       446.598        5.505         1       1.76182     26.6
2      -156.658        5.383                          
3      -115.480        2.300         2       1.61800     63.4  
4        57.268        可変                            
5       158.897        2.200         3       1.51680     64.2
6        52.092        1.900         4       1.84666     23.8
7        52.603         可変                      
8        54.035        4.761         5       1.49700     81.6
9       122.567         可変                          
10        54.755        9.968         6       1.61800     63.4 
11       -67.625        2.200         7       1.84666     23.8 
12      -129.060        可変                           
13        33.271        4.219         8       1.61800     63.4 
14        51.141        0.200                      
15        31.412        4.813         9       1.61800     63.4 
16        66.883        可変                            
17        22.000        1.900        10       1.61310     44.4
18        15.474        5.343                   
19(絞り)    ∞          0.958        
20       -85.468        5.473        11       1.49700     81.6 
21       -45.435        2.801        12       1.61310     44.4 
22        31.697        7.023                   
23      -171.907        2.641        13       1.90366     31.3
24       -44.012        2.379                        
25       -17.485        1.900        14       1.69895     30.1 
26        45.750        6.647        15       1.49700     81.6 
27       -38.364        0.200                            
28       181.262        8.514        16       1.49700     81.6 
29       -29.966        可変                            
30       306.175        5.930        17       1.84666     23.8
31       -69.411        9.000                        
32          ∞         26.000        PR       1.51680     64.2 
33          ∞          8.194                
IMG:         ∞                                                   。
【００６８】
「可変量」
広角端      中間      望遠端  
焦点距離         47.800     58.730      76.76
可変群間隔    
D4                7.463     5.489       8.881
D7               15.271     5.161       1.527
D9               15.905    16.884       1.500
D12               1.000     5.510      11.366
D16               1.000     2.638       4.949
D29               1.000     5.957      13.417                      。
【００６９】
「条件式のパラメータの値」
条件（１）      0.0125  
条件（２）      0.0036  
条件（３）    ｆＴ／ｆＷ＝1.605  、  ＯＡＬ／Ｙmax＝8.713            。
【００７０】
「実施例３」
ｉ        R            Ｄ          j         Ｎ             ν  
O          ∞       6000.000
1       252.097        3.480       1       1.84666         23.8 
2       141.430        1.818                           
3       253.430        2.300       2       1.62041         60.3 
4        63.935       可変        
5     -1063.932        2.200       3       1.51680         64.2 
6        60.251        8.964       4       1.84666         23.8 
7       211.430       可変                        
8       121.782        5.537       5       1.49700         81.6  
9       704.524        可変                        
10        96.623       14.976       6       1.61800         63.4 
11       -72.076        2.200       7       1.84666         23.8
12      -176.462       可変                
13        39.291        6.305       8       1.61800         63.4 
14       137.635        0.200                       
15        29.075        4.995       9       1.61800         63.4 
16        49.915        可変                          
17        60.343        1.900      10       1.62374         47.1
18        18.525        6.086                         
19(絞り)    ∞          2.891             
20       246.428        4.649      11       1.49700         81.6
21       -30.583        5.500      12       1.61310         44.4 
22        35.649        8.134                           
23      -101.475        4.661      13       1.90366         31.3
24       -48.940        2.091                          
25       -21.265        1.900      14       1.69895         30.1
26        97.556        5.637      15       1.49700         81.6
27       -37.235        0.200                  
28      2455.928        7.150      16       1.49700         81.6
29       -29.507        可変                  
30       274.080        5.500      17       1.84666         23.8
31       -81.816        0.000               
32         ∞          29.000       PR      1.51860         64.2 
33         ∞          22.077                         
IMG         ∞           0.000                                     。
【００７１】
「可変量」  
広角端      中間      望遠端  
焦点距離          47.88      58.83      76.95   
可変群間隔    
D4      31.753     23.325     14.358  
D7      29.646     13.027      1.500  
D9       3.635     13.078      8.252  
D12      1.000      9.232     25.423    
D16      1.748      2.391      3.340  
D29      1.858      8.587     16.767                      。
【００７２】
「条件式のパラメータの値」
条件（１）      0.0177  
条件（２）      0.0132  
条件（３）    ｆＴ／ｆＷ＝1.607  、  ＯＡＬ／Ｙmax＝11.39          。
【００７３】
「実施例４」
ｉ        R            Ｄ          j           Ｎ           ν  
0         ∞        6000.000
1        60.614        2.300       1          1.62041       60.3
2        36.535       可変                    
3      -190.062        2.200       2          1.51680       64.2
4        55.715        4.008       3          1.84666       23.8
5        92.850       可変                    
6        52.041        5.984       4          1.49700       81.6
7       166.325       可変                    
8       108.678        7.877       5          1.61800       63.4 
9       -63.439        2.200       6          1.84666       23.8
10      -114.866        可変                         
11        34.226        5.084       7          1.61800       63.4 
12        70.286        0.200                            
13        25.462        5.227       8          1.61800       63.4 
14        45.538        可変                         
15        23.875        1.900       9          1.62374       47.1  
16        15.022        5.383      
17(絞り)   ∞           1.656    
18      -157.296        3.017       10         1.49700       81.6 
19       -38.744        1.900       11         1.61310       44.4 
20        31.532        7.471                      
21      -261.966        2.690       12         1.90366       31.3   
22       -50.915        2.917                        
23       -17.921        1.900       13         1.69895       30.1      
24        50.324        7.294       14         1.49700       81.6  
25       -37.939        0.200                    
26       215.518        9.292       15         1.49700       81.6 
27       -30.453        可変                            
28       226.681        5.921       16         1.84666       23.8 
29       -80.287         8.000                            
30        ∞            25.000      PR         1.51680       64.2   
31        ∞             5.000                         
IMG        ∞             0.000                                      。
【００７４】
「可変量」    
広角端      中間      望遠端  
焦点距離        47.80      58.73       76.76 
可変群間隔  D2    15.644    16.559       14.468  
D5    23.091     9.945        1.500  
D7    13.636    12.547        1.500   
D10    1.000     7.363       20.165   
D14    1.000     1.827        2.752   
D27    1.000     7.128       14.986                      。
【００７５】
「条件式のパラメータの値」
条件（１）      0.0146    
条件（２）      0.0120    
条件（３）      ｆＴ／ｆＷ＝1.605    、  ＯＡＬ／Ｙmax＝5.635        。
【００７６】
図３に実施例１に関する広角端における収差図、図４に実施例１に関する望遠端における収差図を示す。これら収差図中の「Ｇ」は波長：５５０．０ｎｍでの収差、「Ｒ」は波長：６２０．０ｎｍでの収差、「Ｂ」は波長：４７０．０ｎｍでの収差であることを示し、「Ｓ」は波長：５５０．０ｎｍでのサジタル像面、「Ｔ」は波長：５５０．０ｎｍでのタンジェンシャル像面であることを示す。他の収差図においても同様である。
【００７７】
図７に実施例２に関する広角端における収差図、図８に実施例２に関する望遠端における収差図を示す。図１１に実施例３に関する広角端における収差図、図１２に実施例３に関する望遠端における収差図を示す。図１５に実施例４に関する広角端における収差図、図１６に実施例１に関する望遠端における収差図を示す。
【００７８】
これら収差図に示すように、各実施例とも、非球面を採用していないにも拘わらず性能良好である。
【００７９】
また、各実施例とも、投射用ズームレンズは、変倍に際して、第７レンズ群Ｇ７が、物体である平面画像に対して位置を変えず、第１レンズ群Ｇ１は、平面画像に対してその位置を変えない。
【００８０】
そして、各実施例とも、第６レンズ群Ｇ６中に「屈折面の曲率半径の絶対値が全系中で最も小さい面」が含まれており、第３レンズ群Ｇ３と第５レンズ群Ｇ５とは、各々正レンズのみからなり、第４レンズ群Ｇ４は、１以上の正レンズと１以上の負レンズとを拡大側からこの順序に接合した「接合レンズ」としてなり、第３レンズ群Ｇ３は１枚の正レンズのみからなり、第５レンズ群Ｇ５は、凸面を拡大側に向けた正メニスカスレンズを２枚含み、第６レンズ群Ｇ６中に「接合面が縮小側に凸となる形状の接合レンズ」を含む。
【００８１】
そして何れの実施例も「平面画像側における瞳位置がほぼ無限遠となる、テレセントリックな光学系」となっている。
【００８２】
従って、これら実施例の何れかの投射用ズームレンズを搭載して、性能良好なプロジェクタ装置や撮像装置を実現できる。
【符号の説明】
【００８３】
Ｇ１      第１レンズ群  
Ｇ２      第２レンズ群  
Ｇ３      第３レンズ群  
Ｇ４      第４レンズ群  
Ｇ５      第５レンズ群  
Ｇ６      第６レンズ群  
Ｇ７      第７レンズ群  
ＳＣＲ    スクリーン面  
ＤＶ      画像表示デバイスの画像表示面  
ＰＲ      色合成プリズム
【先行技術文献】
【特許文献】
【００８４】
【特許文献１】特開２００４−  ７０３０６号公報
【特許文献２】特開２００１−１０８９００号公報
【図１】
2010197742.tif 000003
【図２】
2010197742.tif 000004
【図３】
2010197742.tif 000005
【図４】
2010197742.tif 000006
【図５】
2010197742.tif 000007
【図６】
2010197742.tif 000008
【図７】
2010197742.tif 000009
【図８】
2010197742.tif 000010
【図９】
2010197742.tif 000011
【図１０】
2010197742.tif 000012
【図１１】
2010197742.tif 000013
【図１２】
2010197742.tif 000014
【図１３】
2010197742.tif 000015
【図１４】
2010197742.tif 000016
【図１５】
2010197742.tif 000017
【図１６】
2010197742.tif 000018